(57)【要約】【課題】蓋開閉の操作性、構造の信頼性、組立作業性を向上させた洗濯機を提供すること。【解決手段】蓋体３の蓋ヒンジ部３１に形成された空間部６ａに設けられたダンパー保持体１８と、一端をダンパー保持体１８に遊嵌され、他端を蓋蝶番軸受２４に軸支された蓋体３の回転を減衰する回転式の衝撃緩和ダンパー１９とを備え、ダンパー保持体１８は、前端を蓋体にタッピングネジ２０にて螺合固定し、後端に形成した引掛け凸部１８ａを蓋体３に形成した溝部２２に挿着して固定する構成としたことにより、蓋体３は衝突音も無く、円滑に開閉動作ができる。更には、組み立て時にダンパー保持体１８を仮固定できるので生産性が向上できると共に、ダンパー保持体１８が蓋体３に確実に固定されるので、ダンパー回転動作での衝撃力のよる変形、破損を抑え、信頼性を向上することが出来る。【選択図】図５
2018038467.tif 000002
【特許請求の範囲】
【請求項１】
洗濯機本体上部に載置したトップカバーと、前記トップカバーに形成された衣類投入口と、前記衣類投入口を開閉自在に覆うように設けられた蓋体と、前記トップカバーに軸支された前記蓋体の回転を減衰する回転式の衝撃緩和ダンパーとを備え、前記蓋体の前記緩衝緩和ダンパー保持部には、空間部を形成し、前記ダンパー保持体は、一端を前記蓋体にネジ固定し、他端を引掛け凸部を前記蓋体に形成した係合部に係合して固定した洗濯機。
【請求項２】
前記係合部は、溝部により構成した請求項１記載の洗濯機。
【発明の詳細な説明】
【技術分野】
【０００１】
本発明は、上面の衣類投入口などを開閉自在に覆う蓋体を有する洗濯機に関するものである。
【背景技術】
【０００２】
従来、この種の洗濯機は、蓋体の閉時に大きな衝撃音が発生するのを防止するために、ダンパー機構を設ける構成が提案されている（例えば、特許文献１参照）。
【０００３】
図９は、特許文献１に記載された従来の洗濯機の一部破断した縦断面図、図１０は、同洗濯機の要部の一部破断した断面図、図１１は、同洗濯機の蓋体部の一部破断した断面図である。
【０００４】
図９、図１０、図１１において、本体４１内に水槽４２を弾性支持機構４３により垂下支持しつつ収容し、水槽４２中央内底部に攪拌用の攪拌翼４５を回転自在に配した洗濯兼脱水槽４４を脱水回転可能に配設している。攪拌翼４５および洗濯兼脱水槽４４は、水槽４２の外底部に固着したモータ４７により回転駆動される。
【０００５】
また、外箱４１の最上部にはトップカバー５５を装着し、トップカバー５５の中央部に、洗濯兼脱水槽４４内に臨む洗濯物出入口５６を有し、洗濯物出入口５６の上方に開閉自在に平面状の蓋体５７を軸支している。蓋体５７は、使用者が開閉操作する前蓋５９と前蓋５９を回動可能に連結した後方の後蓋５８とからなっている。蓋体５７は、開放した状態を、図９中に、５７ａで示しており、前蓋５９ａは、後蓋５８ａに対して平行状態に折れ曲がる。また、蓋体５７は、５７ａに示すように、開放時には略垂直状態に回動する。
【０００６】
図１０に示すように、後蓋５８の後端部には、左右の両側横向きの軸穴６０を形成し、一方、トップカバー５５には、軸穴６０に摺動自在に軸６１を横向きに突出させて有する軸支持部６２を突設し、軸６１に後蓋５８の軸穴６０を遊嵌して蓋体５７を回動自在に軸支している。
【０００７】
後蓋５８の軸穴６０後下方には、扇形のギヤ部６９を有するレバー体６４を一体に形成し、レバー体６４の下端に形成した扇形のギヤ部６９は、トップカバー５５の後部内を前後に移動可能に構成したラック６５の平歯車７１に噛み合っている。ラック６５は、ピストンロッド６６を連結してトップカバー５５後部下方に固定配置した水平軸方向に抵抗力を有するダンパー本体６７に連動している。
【０００８】
また、レバー体６４には、蓋体５７を開放、または、閉じる方向に付勢力を与えるために、ねじりコイル部の腕を外方に延設したトグルばね７０を係着し、蓋体５７が水平状態では、蓋体５７を閉じるように、レバー体６４を、軸穴６０を中心に反時計（矢印Ｆ）方向に付勢している。
【０００９】
また、ダンパー本体６７は、ピストンロッド６６の後方（矢印Ｇ方向）への移動時にのみ抵抗を与える片利き構造となっており、反対方向の矢印Ｃ方向で示すピストンの前方向への移動については、抵抗を与えないように構成されている。
【００１０】
よって、蓋体５７を矢印Ａ方向に開放する時は、レバー体６４を軸６１中心にＢ方向への回転となり、扇形のギヤ部６９に噛み合うラック６５はＣ方向に移動するが、ダンパー本体６７の抵抗は無い。一方、蓋体５７を開放状態から閉じる場合（Ｅ方向）には、扇形
のギヤ部６９に噛み合うラック６５は後方（Ｇ方向）に移動し、ダンパー本体６７の抵抗を受け、蓋体５７の回動を減衰するようになっている。
【先行技術文献】
【特許文献】
【００１１】
【特許文献１】特開２０００−１６７２９０号公報
【発明の概要】
【発明が解決しようとする課題】
【００１２】
しかしながら、前記従来の構成では、蓋体５７を開放から閉じる際には、急激な衝撃音などは一定程度解消されるが、閉じた状態から開放する際は、ばね類の抵抗に加えギヤ部６９とラック６５との噛み合いによる回動力への抵抗も同時に生じるため、使用者にとり重たい蓋体の開き作業になるとともに、後蓋５８が開いてトップカバー６５に対し略垂直近くで停止する時に、ダンパー本体６７の抵抗がないために、後蓋５８とトップカバー６５のストッパー部とに激しい衝突音が発生するという課題があった。
【００１３】
また、従来例では、蓋体５７を前蓋５９と後蓋５８とに分割した構成を示したが、最近のデザイン傾向として、大型で１枚構造の蓋が多用されることが多く、この場合には、閉じた状態から開放のために持ち上げた際、トグルばね７０の開放付勢力に蓋体全体の慣性力が加わって強く開き、より強い衝撃音や使い勝手上の不快感を生じるという課題があった。
【００１４】
本発明は、上記従来の課題を解決するもので、蓋体の開放時に発生する衝突音が抑制され、かつ、円滑に開閉動作ができるとともに、ダンパー保持体と蓋体の確実な固定によるダンパー保持体周りの変形防止を図り、作業の安定化による生産性向上を図り得る洗濯機を提供することを目的としている。
【課題を解決するための手段】
【００１５】
上記課題を解決するために、本発明の洗濯機は、洗濯機本体上部に載置したトップカバーと、前記トップカバーに形成された衣類投入口と、前記衣類投入口を開閉自在に覆うように設けられた蓋体と、前記トップカバーに軸支された前記蓋体の回転を減衰する回転式の衝撃緩和ダンパーとを備え、前記蓋体の前記緩衝緩和ダンパー保持部には、空間部を形成し、前記ダンパー保持体は、一端を前記蓋体にネジ固定し、他端を引掛け凸部を前記蓋体に形成した係合部に係合して固定したものである。
【００１６】
これにより、蓋体は衝突音を抑制でき、円滑に閉じることができる。また、蓋体を開ける時は、衝撃緩和ダンパーの抵抗力を蝶番バネの付勢力で減少させるために、同様に、衝突音も抑制され、円滑に開けることができる。
【００１７】
また、組み立て時にダンパー保持体を仮固定できるので生産性が向上できると共に、ダンパー保持体が蓋体に確実に固定されるので、ダンパー回転動作での衝撃力のよる変形、破損を抑え、信頼性を向上することができる。
【発明の効果】
【００１８】
本発明の洗濯機は、蓋体の開放時に衝突音の発生が無く、かつ、円滑に開閉動作ができるとともに、蓋体構造の信頼性向上と、生産性向上を図ることができる。
【図面の簡単な説明】
【００１９】
【図１】本発明の実施の形態１における洗濯機の蓋体が閉じた状態の外観図
【図２】同洗濯機の蓋体が開いた状態の外観図
【図３】同洗濯機の蓋体の開閉状態を示す側面図
【図４】同洗濯機の蓋体の構造を示す分解斜視図
【図５】同洗濯機の蓋体とトップカバーユニットの構造を示す分解斜視図
【図６】同洗濯機の蓋体の衝撃緩和ダンパーの構造の分解斜視図
【図７】（ａ）同洗濯機の蓋体の要部横断面図、（ｂ）同要部横断面図のＡ部拡大図
【図８】同洗濯機の蓋体の要部縦断面図
【図９】従来の洗濯機の一部破断した縦断面図
【図１０】同洗濯機の要部の一部破断した断面図
【図１１】同洗濯機の蓋体部の一部破断した断面図
【発明を実施するための形態】
【００２０】
第１の発明は、洗濯機本体上部に載置したトップカバーと、前記トップカバーに形成された衣類投入口と、前記衣類投入口を開閉自在に覆うように設けられた蓋体と、前記トップカバーに軸支された前記蓋体の回転を減衰する回転式の衝撃緩和ダンパーとを備え、前記蓋体の前記緩衝緩和ダンパー保持部には、空間部を形成し、前記ダンパー保持体は、一端を前記蓋体にネジ固定し、他端を引掛け凸部を前記蓋体に形成した係合部に係合して固定したものである。
【００２１】
これにより、蓋体は衝突音を抑制でき、円滑に閉じることができる。また、蓋体を開ける時は、衝撃緩和ダンパーの抵抗力を蝶番バネの付勢力で減少させるために、同様に、衝突音も抑制され、円滑に開けることができる。
【００２２】
更に、組み立て時にダンパー保持体を仮固定できるので生産性が向上できると共に、ダンパー保持体が蓋体に確実に固定されるので、ダンパー回転動作での衝撃力のよる変形、破損を抑え、信頼性を向上することができる。
【００２３】
以下、本発明の実施の形態について、図面を参照しながら説明する。なお、この実施の形態によって本発明が限定されるものではない。
【００２４】
（実施の形態１）
図１は、本発明の実施の形態における洗濯機の蓋体が閉じた状態の外観図、図２は、同洗濯機の蓋体が開いた状態の外観図、図３は、同洗濯機の蓋体の開閉状態を示す側面図、図４は、同洗濯機の蓋体の構造を示す分解斜視図、図５は、同洗濯機の蓋体とトップカバーユニットの構造を示す分解斜視図、図６は、同洗濯機の蓋体の衝撃緩和ダンパーの構造の分解斜視図、図７（ａ）は、同洗濯機の蓋体要部横断面図、（ｂ）は同要部横断面図のＡ部拡大図、図８は、同洗濯機の蓋体の要部縦断面図である。
【００２５】
図１、図２、図３において、洗濯機本体１の上部にトップカバー２を載置し、トップカバー２の略中央部には、衣類投入口３０が形成され、衣類投入口３０を覆うようにトップカバー２に軸支された蓋体３が上方に開閉自在に配されている。
【００２６】
トップカバー２には、蓋体３の後方位置に各種の入力設定を行ない、設定内容を表示する操作表示部４を配設している。操作表示部４の内方には、洗濯機の運転制御を行う制御装置（図示せず）が収設されている。
【００２７】
蓋体３は、上下に二分割して、蓋上体５と蓋下体６により構成され、蓋上体５の上方には、蓋窓７を装着している。また、蓋下体６の左右には、蓋ヒンジ部を形成し、蓋ヒンジ部３１には、内部構造を覆うために蓋蝶番カバー９を載設して、外観デザイン形状を蓋下体６と合わせている。
【００２８】
蓋体３は、トップカバー２に蓋ヒンジ軸１０により軸支されており、蓋ヒンジ軸１０を回転中心に、閉塞状態ＬＯの位置から、全開の略垂直に近い角度の開放状態ＬＨの位置まで回動する構造である。蓋体３を開放状態ＬＨから閉じる時には、Ｌ１の位置を過ぎてから、後述する蓋ヒンジ軸１０に備えたダンパー構造により、回転動作を緩和させて急激な衝撃を蓋体３に与えないでＬＯ位置に閉じる。
【００２９】
図４において、蓋上体５の上には、蓋窓７を両面テープ１１で固定しており、蓋上体５の前方部には、蓋飾り板８が蓋窓７を挟んで保持固定されている。
【００３０】
蓋体３の一対の蓋ヒンジ部３１の間には、蓋体３の開き力を低減させて操作性を向上させるように、蝶番取付板１４を配しており、蝶番取付板１４には、開き方向の付勢力を備えた蝶番バネ１２と、回転支持する蓋蝶番軸１３とを左右対称に各２ケ取り付けている。
【００３１】
蝶番取付板１４は、金属鋼板等で構成されており、蓋蝶番軸１３を支持するために曲げて形成した両側面には、軸孔１５を設けている。蓋蝶番軸１３は、蝶番取付板１４の軸孔１５の両側を貫通して支持し、その間に蝶番バネ１２のコイル中心に貫通して保持している。蓋蝶番軸１３と蝶番バネ１２が取付けられた蝶番取付板１４は、タッピングネジ１６にて蓋下体６に一体成形したネジボス１７に締結固着により取付けている。蓋体３は、以上の部品にて構成され、ユニット化されている。
【００３２】
図５、図６、図７（ａ）、（ｂ）において、蓋体３の左右の蓋ヒンジ部３１に形成された空間部６ａには、衝撃緩和ダンパー１９を保持するダンパー保持体１８を備えており、ダンパー保持体１８の引掛け凸部１８ａを蓋下体６の溝部２２にツメ嵌合により係合して取り付けている。
【００３３】
また、蓋蝶番軸受２４は、複数個の取付けタッピングネジ２５にて、トップカバー２に一体成形したネジボス２６に締結固定されている。
【００３４】
衝撃緩和ダンパー１９は、図６に示す矢印Ｍの回転方向に抵抗力を与えるようになっており、ダンパー軸１９ａと相対的な回転動作に対して、衝撃緩和ダンパー１９内部に封入した粘性油の抵抗力によって、蓋体３の閉じる方向の回転の動きを緩衝する減衰作用が働く。これにより、蓋体３は衝突音も無く、円滑に閉じることができる。また、蓋体３を開ける時は、衝撃緩和ダンパー１９の抵抗力を蝶番バネ１２の付勢力で減少させるために、衝突音も無く、円滑に開けることができる。
【００３５】
衝撃緩和ダンパーには、平面部１９ｂが形成され、同様形状で形成されたダンパー保持体１８の開口孔１８ｂと遊嵌しており、回転方向の位置決めとなっている。
【００３６】
また、ダンパー軸１９ａにも、ダンパー軸平面部１９ｃが形成され、蓋蝶番軸受２４のダンパー軸受孔２４ａと遊嵌しており、回転方向の位置決めとなっている。
【００３７】
ユニット化された蓋体３をトップカバー２に取り付ける時には、まず蝶番バネ１２の端部をトップカバー２のバネ挿入孔２３に挿入し、係合するために、蓋体３を略垂直に近い角度から下方向にトップカバー２に載せて設置する。ここでは、蝶番バネ１２の反発力のない自由状態で容易にバネ挿入孔２３に挿入できる。次に、衝撃緩和ダンパー１９を保持するダンパー保持体１８の引掛け凸部１８ａを蓋下体６の溝部２２に挿着させた後、外側に向けてスライドさせて、トップカバー２に設置された蓋蝶番軸受２４のダンパー軸受孔２４ａに、衝撃緩和ダンパー１９のダンパー軸１９ａを係合させた状態にして、複数個のタッピングネジ２０によりダンパー保持体１８を蓋下体６に一体成形したネジボス２１に締結固定して取り付ける。最後に、蓋蝶番カバー９を取り付ける。
【００３８】
図８において、蓋体３を閉じた状態では、衝撃緩和ダンパー１９の抵抗力が大きく、蓋体３を開く方向である、矢印Ｍ２方向のトルク力が加わっているが、蓋体３の重心バランスにより閉じた状態で安定している。
【００３９】
ここで、衝撃緩和ダンパー１９の抵抗力は、ダンパー保持体１８を蓋下体６から引き離す方向である、矢印Ｍ３方向にトルク力が加わった状態になっているが、ダンパー保持体１８の一端をタッピングネジ２０によるネジ固定と、もう一端の引掛け凸部１８ａを、蓋下体６の溝部２２に挿着することで、ダンパー保持体１８の両端が蓋体３に固定されるため、ダンパー回転動作での衝撃力のよる変形、破損を抑えることができる。これにより、蓋動作の信頼性を向上することができる。また、組み立て時に、ネジ固定前にツメ嵌合により仮固定ができるため、生産性を向上することができる。
【００４０】
以上のように、本実施の形態においては、蓋体３の蓋ヒンジ部３１に形成された空間部６ａに設けられたダンパー保持体１８と、一端をダンパー保持体１８に遊嵌され、他端を蓋蝶番軸受２４に軸支された蓋体３の回転を減衰する回転式の衝撃緩和ダンパー１９とを備え、ダンパー保持体１８は、前端を蓋体にタッピングネジ２０にて螺合固定し、後端に形成した引掛け凸部１８ａを蓋体３に形成した溝部２２に挿着して固定する構成としたことにより、蓋体３は衝突音も無く、円滑に閉じることができる。また、蓋体３を開ける時は、衝撃緩和ダンパー１９の抵抗力を蝶番バネ１２の付勢力で減少させるために、同様に、衝突音も無く、円滑に開けることができる。
【００４１】
更には、組み立て時にダンパー保持体１８を仮固定できるので生産性が向上できると共に、ダンパー保持体１８が蓋体３に確実に固定されるので、ダンパー回転動作での衝撃力のよる変形、破損を抑え、信頼性を向上することが出来る。
【産業上の利用可能性】
【００４２】
以上のように、本発明にかかる洗濯機は、蓋体の開放時に衝突音の発生が抑制され、かつ、円滑に開閉動作ができるとともに、蓋体構造の信頼性向上と、生産性向上を図ることができるので、蓋体を有する他の電化機器の用途に適用できる。
【符号の説明】
【００４３】
１  洗濯機本体
２  トップカバー
３  蓋体
５  蓋上体
６  蓋下体
６ａ  空間部
１２  蝶番バネ
１８  ダンパー保持体
１８ａ  引掛け凸部
１９  衝撃緩和ダンパー
２０  タッピングネジ
２２  溝部
２４  蓋蝶番軸受
３０  衣類投入口
３１  蓋ヒンジ部
【図１】
2018038467.tif 000003
【図２】
2018038467.tif 000004
【図３】
2018038467.tif 000005
【図４】
2018038467.tif 000006
【図５】
2018038467.tif 000007
【図６】
2018038467.tif 000008
【図７】
2018038467.tif 000009
【図８】
2018038467.tif 000010
【図９】
2018038467.tif 000011
【図１０】
2018038467.tif 000012
【図１１】
2018038467.tif 000013